(57)【要約】【課題】どこにでも容易に設置できる安価な座位保持具を提供する。【解決手段】座位保持具１は、座位姿勢を保つ際に支えとなる手摺り部３と、手摺り部３を起立収納する収納体２とから構成されている。収納体２は、帯板状の背面部２５と、背面部２５の長手方向両縁部に形成された対向する一対の側面部２１，２１とからなり、起立する収納体２の前面上部は開口部４とされ、側面部２１，２１間には横架材２２が架設されている。対向する一対の側面部２１，２１の内側には、溝部からなる案内ガイド２３が長手方向にそれぞれ形成され、各案内ガイド２３の上部には扇形状の切欠部２４が形成されている。手摺り部３は帯板状とされ、把手となる長手方向先端部３２には、手を差し込むためのスリット３４が短辺方向に形成され、もう一方の長手方向端部である基端部３３には、ストッパーとなる突条部３５が短辺方向に形成されている。【選択図】図１
0003132348.tif 000002
【実用新案登録請求の範囲】
【請求項１】
上部が開口部とされ、当該開口部に向かう案内ガイドが内側面に設けられた収納体と、前記案内ガイドに沿って前記開口部から収納体外へスライドし、鉛直面内で回動して水平姿勢に保持される手摺り部とを備える座位保持具であって、
前記手摺り部が回動する際に、当該手摺り部の基端部が描く軌道にあわせて、前記案内ガイドの上部に切欠部が形成されていることを特徴とする座位保持具。
【請求項２】
前記手摺り部が前記収納体から抜け出ないように、前記手摺り部の基端部にストッパーが設けられている請求項１に記載の座位保持具。
【請求項３】
既存の手摺りに掛止するための掛止部が前記収納体に設けられている請求項１または２に記載の座位保持具。
【請求項４】
前記収納体から引き出された前記手摺り部をロックするための固定手段を備える請求項１乃至３のいずれかに記載の座位保持具。
【考案の詳細な説明】
【技術分野】
【０００１】
本考案は、高齢者や身体障害者など介護を必要とする人が座位姿勢を保つために使用する座位保持具に関する。
【背景技術】
【０００２】
高齢者や身体障害者などが使用するトイレでは、便座への着座または離座の際に体を支えることができるように、手摺りが便器側方の壁に設置されている。しかし、便器側方の壁に手摺りが設置されているため、左右いずれか一方の手で体重を支えなければならず、高齢者や身体障害者などには負担となっている。
【０００３】
そこで、例えば特許文献１では、便器側方の壁に便器に近接して、駆動装置により昇降可能とされた手摺りを設けるとともに、手摺りを下降端に対して上昇端が便器の前方に位置するように、垂直方向に対して斜め方向に昇降可能とした昇降手摺り装置の発明が開示されている。
また、特許文献２では、トイレの側壁に、はね上げ手摺りが水平方向および垂直方向にスライド移動自在に設けられた運動障害者用トイレ体験装置の発明が開示されている。
【特許文献１】特開平１１−４７０４１号公報
【特許文献２】特開２００３−７６２６６号公報
【考案の開示】
【考案が解決しようとする課題】
【０００４】
しかしながら、上記の発明は、便座への着座または離座の際に、使用者の体を支えることを目的としているため、装置が大掛かりとなり、設置に手間が掛かるという問題がある。また、これらの装置は可動部が多く、高コストとならざるを得ない。
他方、介護を必要とする人の場合、便座への着座または離座時には介護者の助けがあるため、さほど問題とはならないが、座位姿勢を保持できないため、用便時に困難を感じている。このため、座位姿勢を保持できる簡易な器具が望まれている。
【０００５】
本考案は、上述する問題点に鑑みてなされたもので、どこにでも容易に設置できる安価な座位保持具を提供することを目的とする。
【課題を解決するための手段】
【０００６】
上記目的を達成するため、本考案は、上部が開口部とされ、当該開口部に向かう案内ガイドが内側面に設けられた収納体と、前記案内ガイドに沿って前記開口部から収納体外へスライドし、鉛直面内で回動して水平姿勢に保持される手摺り部とを備える座位保持具であって、前記手摺り部が回動する際に当該手摺り部の基端部が描く軌道にあわせて、前記案内ガイドの上部に切欠部が形成されていることを特徴としている。
【０００７】
本考案に係る座位保持具は、座位姿勢を保つ際に支えとなる手摺り部と、当該手摺り部を起立収納する収納体とから構成される。座位保持具を使用する際は、収納体から手摺り部を上方にスライドさせた後、当該手摺り部を水平に倒して使用する。本座位保持具では、上方にスライドした手摺り部が回動する際に、当該手摺り部の基端部が描く軌道にあわせて、案内ガイドの上部に切欠部が形成されており、手摺り部の基端部は切欠部内で回動する。手摺り部が水平に倒れると、手摺り部の基端部が切欠部の天面に当接し、手摺り部の水平姿勢が保持される。
【０００８】
また、本考案に係る座位保持具では、前記手摺り部が前記収納体から抜け出ないように、前記手摺り部の基端部にストッパーを設けておくことが好ましい。
【０００９】
また、本考案に係る座位保持具では、既存の手摺りに掛止するための掛止部が前記収納体に設けられていてもよい。これにより、座位保持具の設置が容易となり、ベッドや車椅子などトイレ以外の場所でも使用することが可能となる。
【００１０】
また、本考案に係る座位保持具では、前記収納体から引き出された前記手摺り部をロックするためのロック手段を備えていることが好ましい。これにより、手摺り部をテーブルとして使用することが可能となる。
【考案の効果】
【００１１】
本考案に係る座位保持具は、上部が開口部とされ、当該開口部に向かう案内ガイドが内側面に設けられた収納体と、案内ガイドに沿って開口部から収納体外へスライドし、鉛直面内で回動して水平姿勢に保持される手摺り部とからなるシンプルな構成としているので、製作が容易であり、低コストで製造することができる。また、既存の手摺りに掛止するための掛止部を収納体に設ければ、ベッドや車椅子などトイレ以外の場所でも使用することができる。
【考案を実施するための最良の形態】
【００１２】
以下、本考案に係る座位保持具の実施形態について図面に基づいて説明する。
本考案に係る座位保持具の斜視図を図１に、側断面図を図２にそれぞれ示す。なお、以下の説明では、便宜上、手摺り部が見えるサイドを「前面」、その逆サイドを「背面」と呼ぶことにする。
【００１３】
本座位保持具１は、座位姿勢を保つ際に支えとなる手摺り部３と、当該手摺り部３を起立収納する収納体２とから構成されており、収納体２および手摺り部３の材質としては、木材、ステンレス、プラスチックなどが好適である。
【００１４】
収納体２は溝型形状とされ、帯板状の背面部２５と、背面部２５の長手方向に沿って両縁部に形成された対向する一対の側面部２１，２１とから構成されている。起立する収納体２の前面上部は開口部４とされ、側面部２１，２１間には横架材２２が架設されている。
対向する一対の側面部２１，２１の内側には、溝部からなる案内ガイド２３が長手方向にそれぞれ形成されている。また、各案内ガイド２３の上部には、上方にスライドした手摺り部３が回動する際に、当該手摺り部３の基端部３３が描く軌道にあわせて、扇形状の切欠部２４が形成されている（図２参照）。
【００１５】
一方、帯板状とされた手摺り部３は、その長手方向両縁部が案内ガイド２３にガイドされ、長手方向にスライドする。把手となる長手方向先端部３２には、手を差し込むためのスリット３４が短辺方向に形成され、もう一方の長手方向端部である基端部３３には、ストッパーとなる突条部３５が短辺方向に形成されている。
【００１６】
次に、上記構成からなる座位保持具１の動作について説明する。
収納体２に起立収納されている手摺り部３を案内ガイド２３に沿って開口部４から上方へスライドさせた後、当該手摺り部３を水平に倒すと、手摺り部３の基端部３３は、収納体２の側面部２１の上部に形成された切欠部２４内で回動する。手摺り部３が水平になると、基端部３３の下面は横架材２２で支持され、基端部３３の上面は切欠部２４の天面に当接する。これにより、基端部３３の回動が拘束され、手摺り部３の水平姿勢が保持される。
なお、手摺り部３の基端部３３に設けられた突条部３５が横架材２２に当接するので、手摺り部３が収納体２から抜け出ることはない。
【００１７】
図３は、介護を必要とする人Ｍが座位保持具１をトイレで使用している状態を示したものである。
座位保持具１は、背面部２５が便器５側方の壁面Ｗにビスまたは両面テープなどで固定されている。座位保持具の場合、使用者の体重を支える必要がないので、ビスまたは両面テープなどを用いて壁面Ｗに簡単に取り付けることができる。
介護を必要とする人Ｍは、便器５に着座した状態で座位保持具１を使用する。具体的には、収納体２に起立収納された手摺り部３を上方にスライドさせて引き出した後、水平に倒して手摺り部３に手を掛けて座位姿勢を保持する。離座する際は、手摺り部３を回動させて垂直にし、当該手摺り部３をスライドさせながら収納体２に収納する。
【００１８】
本実施形態による座位保持具１は、上部が開口部４とされ、当該開口部４に向かう案内ガイド２３が側面部２１の内側に設けられた収納体２と、案内ガイド２３に沿って開口部４から収納体２の外へスライドし、鉛直面内で回動して水平姿勢に保持される手摺り部３とからなるシンプルな構成としているので、製作が容易であり、低コストで製造することができる。
【００１９】
次に、本考案に係る座位保持具の他の実施形態について説明する。
図４に示す座位保持具１は、収納体２の前面部に一対のフック部材（掛止部）６，６を備えており、フック部材６，６を既存の手摺り７に引っ掛けるだけで座位保持具１を設置することができる。これにより、座位保持具１の設置が容易となり、ベッドや車椅子などトイレ以外の場所でも使用することが可能となる。
【００２０】
図５は、収納体２から引き出された手摺り部３が動かないように、手摺り部３をロックする方法について具体的に示したものである。
図５（ａ）では、手摺り部３の基端部３３にスリット３６を設け、コ字状のクリップ（ロック手段）８の一方の爪を当該スリット３６に差し込むとともに、他方の爪を収納体２の背面部２５に掛けるようにして手摺り部３の動きを拘束する。
また、図５（ｂ）では、手摺り部３の基端部３３をコ字状のクリップ（ロック手段）９で側方から挟み込むようにすることで、クリップ９が収納体２の側面部２１に当接して手摺り部３の動きを拘束する。
このように、コ字状のクリップ８，９を用いれば、収納体２から引き出された手摺り部３をロックすることが可能となり、手摺り部３の上に物を置いてテーブル代わりに使用することができる。
【００２１】
以上、本考案に係る座位保持具の実施形態について説明したが、本考案は上記の実施形態に限定されるものではなく、その趣旨を逸脱しない範囲で適宜変更可能である。例えば、上記の実施形態では、収納体の前面部を開口とし、手摺り部が見えるようにしたが、背面部と同様、前面部を板材で覆ってもよい。また、手摺り部は板材に限るものではなく、枠材などでもよい。要は、本考案において所期の機能が得られればよいのである。
【図面の簡単な説明】
【００２２】
【図１】本考案に係る座位保持具の斜視図であり、（ａ）は手摺り部を収納体に起立収納した状態、（ｂ）は手摺り部を水平に倒した状態を示している。
【図２】本考案に係る座位保持具の側断面図であり、（ａ）は手摺り部を収納体に起立収納した状態、（ｂ）は手摺り部を水平に倒した状態を示している。
【図３】介護を必要とする人が座位保持具をトイレで使用している状態を示した図である。
【図４】本考案に係る座位保持具の他の実施形態を示した斜視図である。
【図５】手摺り部が動かないようにロックした状態を示した斜視図である。
【符号の説明】
【００２３】
１  座位保持具
２  収納体
３  手摺り部
４  開口部
５  便器
６  フック部材（掛止部）
７  既存の手摺り
８，９  クリップ（ロック手段）
２１  側面部
２２  横架材
２３  案内ガイド
２４  切欠部
２５  背面部
３２  先端部
３３  基端部
３４，３６  スリット
３５  突条部（ストッパー）
Ｍ  介護を必要とする人
Ｗ  壁面
【図１】
0003132348.tif 000003
【図２】
0003132348.tif 000004
【図３】
0003132348.tif 000005
【図４】
0003132348.tif 000006
【図５】
0003132348.tif 000007